(57)【要約】      （修正有）【課題】既存の排水通気用防水継手を活用しつつ、簡易な構成の防臭具を提供する。【解決手段】通気管１００と連通し接続される排水通気用防水継手１１０の上端部に接続された防水継手カバー１２０に近接する防臭カバー２０と、通気管及排水通気用防水継手と連通し、防水継手カバーとさらに連通するように配置された接続管１３０と接し、かつ防水継手カバーと接するパッキン３０と、防臭カバーを、防水継手カバーを介して排水通気用防水継手に取り付け、防臭カバーを、防水継手カバーを介して排水通気用防水継手に取り付け、さらにパッキンを、防水継手カバーと接続管と、の間の機密性を保つように取り付ける接続具４０と、を有し、接続具を防臭カバーに取り付けることで、防臭カバーと、防水継手カバーと、排水通気用防水継手とを固定し、その防水継手カバーと、接続管との隙間Ｓに配置した防臭具である。【選択図】図２
2019019455.tif 000002
【特許請求の範囲】
【請求項１】
通気管と連通し接続される排水通気用防水継手の上端部に接続された防水継手カバーに近接する防臭カバーと、
前記通気管及排水通気用防水継手と連通し、前記防水継手カバーとさらに連通するように配置された接続管と接し、かつ前記防水継手カバーと接するパッキンと、
前記防臭カバーを、前記防水継手カバーを介して前記排水通気用防水継手に取り付け、さらに前記パッキンを、当該防水継手カバーと前記接続管と、の間の機密性を保つように取り付ける接続具と、を有し、
前記接続具を前記防臭カバーに取り付けることで、前記防臭カバーと、前記防水継手カバーと、前記排水通気用防水継手とを固定し、その前記防水継手カバーと、前記接続管との隙間に配置した防臭具。
【請求項２】
前記防臭カバーの内部に、前記パッキン部を配置するために断面視段差状のパッキン配置部をさらに有する請求項１記載の防臭具。
【請求項３】
前記接続具はボルトとナットを有する請求項１または２記載の防臭具。
【発明の詳細な説明】
【技術分野】
【０００１】
本発明は、外気を導入し、排水を確実に行うための排水管の上端部であって建物の屋外に設置される排水通気用継手の接続する防水継手カバーと、その防水継手カバーと接続する接続管と、の隙間からの臭気の流出を防止するための防臭具に関するものである。
【背景技術】
【０００２】
建物の排水を行うために、特に高層建物においては、その排水を良好にするために外気を導入することが必要である。たとえば建物の屋上において、その屋上の床を構成するコンクリートスラブを貫通するように通気管を立設し、その通気管の先端を屋外に開放することで、管内に負圧が生じたときに、この通気管を介して管内に空気を取り入れるようにし、排水を良好にしている。
【０００３】
この場合に、屋外に設置した通気管に排水通気用防水継手を設置しさらに接続管を配置し、その端部に、臭気の流出を防止するために防臭器具を取り付けている。たとえば、特開平１１−３０３１６９号公報において、排水たて管に接続される通気管に接続する防臭器具である防臭装置が開示されている。またそれ以外にもドルゴ通気弁（商品名）を配置する場合がある。
【０００４】
このように、排水たて管に接続される通気管に接続する防臭器具あるいはドルゴ通気弁（商品名）を配置することで、臭気の流出をある程度防止することができる。
【０００５】
もっとも、従来はその建物の屋上に人が立ち入るということは少なく、したがって、上述の防臭器具が配置されていれば、多少の臭気が流出した場合であっても、建物の屋上から離れるとその臭気が分散され、仮に通気管から臭気が流出したとしても特に問題とならない。
【０００６】
一方で、上記建物の屋上の有効利用が行われ、その屋上に人が立ち入るようになっている。たとえば、屋上を緑化することで、いわゆる屋上庭園や屋上菜園として活用したり、または、休憩場所として活用するようになっている。
【０００７】
その場合に、建物の屋上に屋上の床を構成するコンクリートスラブを貫通するように排気管を立設し、その排気管に、排水通気用防水継手を設置し、さらに防水継手カバーを取り付け、その防水継手カバーに接続管を配置し、その接続管の端部に防臭器具が配置されている場合であっても、上述のとおり人がその屋上に立ち入ることから、臭気が流出すると問題となる場合がある。これは、防臭器具が原因ではなく、排水通気用防水継手と、防水継手カバーと接続管とのいずれかの接続部分から臭気が流出していることが見出されている。
【０００８】
しかしながら、その防水継手カバーと接続管とが接続されている排水通気用防水継手を全部交換して、新たな防臭具を組み込むということもできるが、その交換する数が多く費用がかさみ、工事期間も長く現実的ではない。
【先行技術文献】
【特許文献】
【０００９】
【特許文献１】特開平１１−３０３１６９号公報
【発明の概要】
【発明が解決しようとする課題】
【００１０】
本発明は前記の点に着目してなされたもので、その課題は、既存の排水通気用防水継手と防水継手カバー及び接続管を活用しつつ、簡易な構成の防臭具を提供することを目的とする。
【００１１】
第１観点における防臭具は、通気管と連通し接続される排水通気用防水継手の上端部に接続された防水継手カバーに近接する防臭カバーと、通気管及排水通気用防水継手と連通し、防水継手カバーとさらに連通するように配置された接続管と接し、かつ防水継手カバーと接するパッキンと、防臭カバーを、防水継手カバーを介して排水通気用防水継手に取り付け、さらにパッキンを、防水継手カバーと接続管と、の間の機密性を保つように取り付けるための接続具と、を有し、接続具を防臭カバーに取り付けることで、防臭カバーと、防水継手カバーと、排水通気用防水継手とを固定し、その防水継手カバーと、前記接続管との隙間に配置したというものである。
【００１２】
第２観点における防臭具は、第１観点において、防臭カバーの内部に、パッキン部を配置するために断面視段差状のパッキン配置部をさらに有するというものである。
【００１３】
第３観点における防臭具は、第１観点または第２観点において、接続具はボルトとナットを有するものである。
【発明の効果】
【００１４】
本発明によれば、既存の排水通気用防水継手を活用しつつ、簡易な構成の防臭具を提供することができる。
【図面の簡単な説明】
【００１５】
【図１】防臭具を取り付けた排水通気用防水継手と、防水継手カバー等の正面図。
【図２】図１の断面図。
【図３】Ａは、排水通気用防水継手の平面図、Ｂは、排水通気用防水継手の正面図、Ｃは、排水通気用防水継手の断面図。
【図４】Ａは、ガスケットの平面図、Ｂは、ガスケットの断面図、Ｃは、ガスケットの正面図。
【図５】Ａは、防水継手カバーの平面図、Ｂは、防水継手カバーの断面図、Ｃは、防水継手カバーの正面図。
【図６】Ａは、接続管の平面図、Ｂは、接続管の断面図。
【図７】Ａは、防臭カバーの平面図、Ｂは、防臭カバーの断面図、Ｃは、防臭カバーの正面図。
【図８】Ａは、パッキンの平面図、Ｂは、パッキンの断面図。
【図９】Ａは、接続具の平面図、Ｂは、接続具の断面図。
【発明を実施するための形態】
【００１６】
まずは本実施例の防臭具１０の説明をする前に、建物の排水の流れを良好にするために通気管１００から外気を導入するための構成について簡単に説明する。通気管１００は、建物の屋内から屋外（特に建物の屋上）において敷設されているコンクリートスラブＧを貫通し上方に突出するようにするように配置されている。また、その通気管１００に端部に排水通気用防水継手１１０を取り付け、その排水通気用防水継手１１０に、防水継手カバー１２０を取り付け、その防水継手カバー１２０に接続管１３０を取り付け、その接続管１３０に、防臭器具２００を取り付けている（図１、２参照）。
【００１７】
また、通気管１００に端部に排水通気用防水継手１１０を取り付ける際は、環状の通気パッキン１０５を介して取り付けられている。なお、従来は、通気管１００と、通気パッキン１０５と、排水通気用防水継手１１０と、防水継手カバー１２０と、接続管１３０と、防臭器具２００と、を有し本実施例の防臭具１０を取り付けていない状態で使用したため臭気が流出するという問題が生じていた。すなわち図１、２から、後述する防臭具１０を取り除いた状態で臭気が流出するという問題が生じていたのである。
【００１８】
また、通気管１００は、排水通気用防水継手１１０における下向きの凹状の排水通気用防水継手取り付け部１１１に取り付けられるが、横向きの凹状を呈し、かつ柔軟性を有する通気パッキン１０５を取り付けるための通気パッキン取り付け部１１２に、その環状の通気パッキン１０５を嵌合するように取り付け、その通気パッキン１０５の内側に、通気管１００を配置する。このように配置することで、通気管１００の内部１００ａと、排水通気用防水継手１１０の内部１１０ａと、それぞれの内部は連通しつつ、さらに、通気管１００と、排水通気用防水継手１１０は、柔軟性を有する通気パッキン１０５によって機密性が保たれ、これら通気管１００と、排水通気用防水継手１１０との間から臭気が漏れる可能性は低いものとなる。
【００１９】
また、排水通気用防水継手１１０の上端部１１３は、ガスケット配置部１１４を有し、後述するガスケット１２５を配置するために３個のガスケット取り付け孔１１５を、平面視放射状に１２０度ごとずらして配置している。このガスケット配置部１１４に、ガスケット１２５を配置し、このガスケット１２５を介して、防水継手カバー１２０が、３つの継手ボルト孔１１３ａに配置する後述する接続具４０におけるボルト４１によって固定することができる。この継手ボルト孔１１３ａの内部はメネジ状に螺子切りされている（図３参照）。
【００２０】
また、ガスケット１２５はほぼ環状の本体部分１２１を有し、さらに平面視放射状に１２０度ごとずらして配置されたガスケットボルト孔１２５ａをその環状の本体部分１２１から３方向に突出するように構成されている（図４参照）。
【００２１】
防水継手カバー１２０は、排水通気用防水継手１１０との内部１１０ａと、接続管１３０との内部１３０ａと、連通するように取り付けるものであり、その防水継手カバー１２０は、下方円筒部１２１と、上方円筒部１２５と、から構成されている。また、内開口部１２４により、下方円筒部１２１と上方円筒部１２５とは、連通するように構成されている。下方円筒部１２１は、文字通り下向きに開口する開口部１２２を有し、排水通気用防水継手１１０の上端部１１３が、その開口部１２２内に配置されるのに充分な径を有している。また、下方円筒部１２１の上端部１２３には、平面視放射状に１２０度ごとずらして配置された防水継手カバーボルト孔１２３ａを３個有している（図５参照）。
【００２２】
また、上方円筒部１２５も文字通り上向きに開口する上方開口部１２６を有する。上方開口部１２６は、円筒形状を呈する接続管１３０がその内部に配置するのに充分な径を有し、接続管１３０の端部が、上方円筒部１２５の底に相当する内底部１２７に当接し、ボルト孔１２８に螺号するボルト１２９によって固定されている。
【００２３】
さらにその、接続管１３０は内部１３０ａを有する円筒状を呈するものであり（図６参照）、上述のとおり、防臭器具２００に接続されている。この防臭器具２００は、市販されている森永エンジニアリング株式会社製のドルゴ通気弁が好ましく、接続管１３０からの臭気の流出を、この防臭器具２００によって防止することができる（図１、２参照）。
【００２４】
しかしながら、研究の結果本実施例の防臭具１０を取り付けていない状態、すなわち従来の状態で使用すると臭気が漂うことが判明し、この原因は、防水継手カバー１２０と接続管１３０との隙間Ｓから臭気が流出していることが見出され、この臭気の流出を防止すべく本実施例の防臭具１０を開発したものである。
【００２５】
具体的に本実施例の防臭具１０は、防臭カバー２０と、パッキン３０と、接続具４０とを有している（図１、２参照）。防臭カバー２０は、円筒形状の筒部２１を有し、その天井部２２に筒部２１と同心円状の開口部２３を有している。また、天井部２２の周囲に、後述する接続部４０を取り付けるための取り付け孔部２５を複数有している。本実施例の場合は、３つ有しており、平面視放射状に中心角１２０度ごとに配置されている。また、防臭カバー２０は鋳鉄製が好ましい（図７参照）。
【００２６】
開口部２３は、上述する接続管１３０が挿入されるのに充分な径を有し、その開口部２３の下部に、後述する環状のパッキン３０を配置するための断面視段差状のパッキン配置部２４を有する。パッキン配置部２４は、開口部２３の下部の内部においてその開口部２３を周回するように配置されている。
【００２７】
パッキン３０は、いわゆるＯリングであり、弾力性を有する二トリルゴム製が好ましい。パッキン３０の径は、上述の接続管１３０の径と同様であることが好ましい（図８参照）。パッキン３０の太さは５．７ミリメートルが好ましい。
【００２８】
接続具４０は、ボルト４１とナット４５とを有する。ボルト４１の外周面には、オネジを有し、そのナット４５の内側には、メネジを有しそれらが互いに螺合するように構成されている（図９参照）。
【００２９】
上記構成の防臭具１０を、防水継手カバー１２０と、その防水継手カバー１２０に接続管１３０を取り付け、その接続管１３０に、防臭器具２００を取り付けた排水通気用防水継手１１０から、その防臭器具２００を取り外し、接続管１３０にパッキン３０を取り付ける。
【００３０】
防臭具１０におけるパッキン３０を下方に引き下げ、防水継手カバー１２０に載置する。すなわち、防水継手カバー１２０における上方円筒部１２５の上方開口部１２６に、パッキン３０を配置する。
【００３１】
パッキン３０は、接続管１３０と、排水通気用防水継手１１０との隙間Ｓを埋めるように配置される。すなわち、接続管１３０と、排水通気用防水継手１１０における上方円筒部１２５の上方開口部１２６とに接するように配置される。
【００３２】
この状態で、防臭カバー２０を防水継手カバー１２０に近接した位置に取り付ける。すなわち、防臭カバー２０の開口部２３内に、接続管１３０が入るように取り付け、円筒形状の筒部２１を、防水継手カバー１２０における下方円筒部１２１の上端部１２３に近接する位置に配置する。このとき、防臭カバー２０における断面視段差状のパッキン配置部２４に、パッキン３０が配置される。
【００３３】
この状態で、接続具４０を取り付ける。具合的には、接続具４０における３つのボルト４１を、防臭カバー２０における天井部２２の周囲に配置した３つ有する取り付け孔部２５にそれぞれ挿入するとともに、防水継手カバー１２０における下方円筒部１２１の上端部１２３において、放射状に１２０度ごとずらして配置された３つ有する防水継手カバーボルト孔１２３ａにそれぞれ挿入し、さらに、排水通気用防水継手１１０の上端部１１３に配置された３つ有する継手ボルト孔１１３ａに螺合する。その後、３つのナット４５を、ボルト４１の上端に取り付け、その３つのナット４５を締め付けると、防臭カバー２０が、下方に移動することで、パッキン３０が押圧される。
【００３４】
パッキン３０は、上記のとおり、防臭カバー２０における断面視段差状のパッキン配置部２４に、パッキン３０が配置されているので、徐々に、そのパッキン３０は、接続管１３０と、防水継手カバー１２０との隙間Ｓに移動し、接続管１３０と、防水継手カバー１２０との隙間Ｓをそのパッキン３０で押圧するように配置される（図２参照）。これにより、その接続管１３０と、防水継手カバー１２０との隙間Ｓの機密性を担保することができる。詳述すれば、接続管１３０と、防水継手カバー１２０における上方円筒部１２５の上方開口部１２６と、との隙間Ｓを埋めるように配置される。従って、この隙間Ｓから臭気が流出することをパッキン３０が防止することができる。すなわち接続具４０を防臭カバー２０に取り付けることで、その防臭カバー２０と、防水継手カバー１２０と、排水通気用防水継手１１０とを固定し、その防水継手カバー１２０と、接続管１３０との間に配置したパッキン４０が押圧され、その隙間Ｓを生めることができるのである。
【００３５】
このように、すでに建物の屋上に設置されている既存の排水通気用防水継手１１０と防水継手カバー１２０及び接続管１３０を活用しつつ、簡易な構成の防臭具１０を取り付けることで、コストをいたずらに増やすことなく確実に臭気の流出を防止しつつ、防臭効果を発揮することができる。
【符号の説明】
【００３６】
１０  防臭具
２０  防臭カバー
２１  筒部
２２  天井部
２３  開口部
２４  パッキン配置部
３０  パッキン
４０  接続具
４１  ボルト
４５  ナット
１００  通気管
１１０  排水通気用防水継手
１２０  防水継手カバー
１３０  接続管
２００  防臭器具
Ｇ  コンクリートスラブ
Ｓ  隙間
【図１】
2019019455.tif 000003
【図２】
2019019455.tif 000004
【図３】
2019019455.tif 000005
【図４】
2019019455.tif 000006
【図５】
2019019455.tif 000007
【図６】
2019019455.tif 000008
【図７】
2019019455.tif 000009
【図８】
2019019455.tif 000010
【図９】
2019019455.tif 000011